(57)【要約】【課題】見栄えが良好な表示装置を提供する。【解決手段】表示装置１００は、光源光を発する光源部５０ａ，５０ｂと、透光性の板状に形成され、光源部５０ａ，５０ｂからの光源光を、板内部に導入する導光板３０であって、導入された光源光を用いて発光表示する発光表示部３４ａ，３４ｂを有する導光板３０と、発光表示部３４ａ，３４ｂと並ぶように、発光表示部３４ａ，３４ｂとは導光板３０の延伸方向にずれた位置に配置され、所定の表示内容を表示する画像表示部２７と、光源光が発光表示部３４ａ，３４ｂから画像表示部２７側へ向かうことを規制する光規制壁部４２ａ，４２ｂと、を備える。【選択図】図１
2020008671.tif 000002
【特許請求の範囲】
【請求項１】
光源光を発する光源部（５０ａ，５０ｂ）と、
透光性の板状に形成され、前記光源部からの前記光源光を、板内部（３２）に導入する導光板であって、導入された前記光源光を用いて発光表示する発光表示部（３４ａ，３４ｂ，２３４ａ，２３４ｂ）を有する導光板（３０，２３０）と、
前記発光表示部と並ぶように、前記発光表示部とは前記導光板の延伸方向にずれた位置に配置され、所定の表示内容を表示する並存表示部（２７，２２９）と、
前記光源光が前記発光表示部から前記並存表示部側へ向かうことを規制する光規制壁部（４２ａ，４２ｂ，２４２ａ，２４２ｂ）と、を備える表示装置。
【請求項２】
前記光規制壁部は、前記導光板に埋設された状態で前記導光板と一体的に形成されている請求項１に記載の表示装置。
【請求項３】
前記導光板は、前記並存表示部よりも視認側において、前記並存表示部と重畳する重畳部（４０）を有し、
前記光規制壁部は、前記発光表示部と前記重畳部との間を仕切るように配置されている請求項２に記載の表示装置。
【請求項４】
前記光規制壁部は、前記導光板のおもて板面（３１ａ）よりも視認側に突出している請求項３に記載の表示装置。
【請求項５】
前記発光表示部は、円環状の目盛（３５ａ，ＰＴＮａ）を表示し、
前記光規制壁部は、前記目盛に沿うように湾曲した湾曲縁部（４５ａ，４５ｂ）を有する請求項１から４のいずれか１項に記載の表示装置。
【請求項６】
前記発光表示部は、前記板内部に導入された前記光源光を反射する反射素子（２３５）を複数有し、前記反射素子の集合により形成された図柄（ＰＴＮ）を面状発光する請求項１から５のいずれか１項に記載の表示装置。
【請求項７】
前記発光表示部は、輪郭が情報を表示するように形成された側壁面（３６）が設けられ、前記板内部に導入された前記光源光により前記側壁面が照明されて光る凹状穴（３５）を有する請求項１から６のいずれか１項に記載の表示装置。
【請求項８】
前記発光表示部は、前記並存表示部を挟むような配置で一対設けられ、
前記光源部は、前記並存表示部とは各前記発光表示部を挟んで反対側に、一対設けられ、それぞれ前記並存表示部側へ向けて前記光源光を発し、
前記光規制壁部は、各前記発光表示部及び各前記光源部に対応して一対設けられている請求項１から７のいずれか１項に記載の表示装置。
【請求項９】
前記発光表示部よりも背面側に、前記発光表示部と重畳して配置され、前記発光表示部と組み合わされた表示を行なう組み合わせ表示部（２３ａ，２３ｂ，２２８ａ，２２８ｂ）を、さらに備える請求項１から８のいずれか１項に記載の表示装置。
【請求項１０】
前記光規制壁部は、光吸収性を有することにより、前記光源光を遮光する遮光壁である請求項１から９のいずれか１項に記載の表示装置。
【請求項１１】
前記並存表示部は、画像を表示する画像表示部を含んで構成されている請求項１から１０のいずれか１項に記載の表示装置。
【発明の詳細な説明】
【技術分野】
【０００１】
この明細書による開示は、表示装置に関する。
【背景技術】
【０００２】
従来、表示装置が知られている。特許文献１に開示の表示装置は、光源光を発する光源部と、透光性の板状に形成され、光源部からの光源光を、板内部に導入する導光板であって、導入された光源光を用いて発光表示する発光表示部（図柄）を有する導光板と、発光表示部よりも背面側に、発光表示部と重畳するように配置され、所定の表示内容を表示する背面側の表示部（重畳表示装置）と、を備えている。
【先行技術文献】
【特許文献】
【０００３】
【特許文献１】特開２０１６−１２１８９１号公報
【発明の概要】
【発明が解決しようとする課題】
【０００４】
さて、板内部に光源部から光源光を導入する態様においては、板内部を光源光が導光する間に、光源光の拡散が生じることがある。特許文献１のように、背面側の表示部を、発光表示部と重畳するように配置する場合、発光表示部まで導光された光源光が拡散して、この拡散光により当該背面側の表示部が照らされる。そうすると、背面側の表示部は、白っぽく靄がかかったように見える、いわゆる白化現象の影響を受け、背面側の表示部の視認性が悪化してしまい、表示装置全体としても見栄えが不十分となることが懸念されている。
【０００５】
開示されるひとつの目的は、見栄えが良好な表示装置を提供することにある。
【課題を解決するための手段】
【０００６】
ここに開示された表示装置は、光源光を発する光源部（５０ａ，５０ｂ）と、
透光性の板状に形成され、光源部からの光源光を、板内部（３２）に導入する導光板であって、導入された光源光を用いて発光表示する発光表示部（３４ａ，３４ｂ，２３４ａ，２３４ｂ）を有する導光板（３０，２３０）と、
発光表示部と並ぶように、発光表示部とは導光板の延伸方向にずれた位置に配置され、所定の表示内容を表示する並存表示部（２７，２２９）と、
光源光が発光表示部から並存表示部側へ向かうことを規制する光規制壁部（４２ａ，４２ｂ，２４２ａ，２４２ｂ）と、を備える。
【０００７】
このような態様によると、並存表示部を、発光表示部と並ぶように、発光表示部とは導光板の延伸方向にずれた位置に配置した。発光表示部に対して重畳を避けた並存表示部が設けられた配置によって、並存表示部の表示自体が阻害されることを抑制しつつ、板内部で発生する拡散光を規制するための光規制壁部の設置を可能とした。そして本態様では、光規制壁部が発光表示部から並存表示部側へ向かう光源光を規制する。故に、光源光の拡散光が並存表示部を照らすことは抑制されるので、並存表示部では、導光板の板内部での光源光の拡散、すなわち白化現象の影響を抑制した、視認性の高い表示が実現されるのである。以上により、見栄えの良い発光表示部に、拡散光の影響を抑制した並存表示部を並存させて、格別な見栄え効果が得られる表示装置を提供することができるのである。
【０００８】
なお、括弧内の符号は、後述する実施形態の部分との対応関係を例示的に示すものであって、技術的範囲を限定することを意図するものではない。
【図面の簡単な説明】
【０００９】
【図１】第１実施形態の表示装置を示す正面図である。
【図２】図１のII−II線断面図である。
【図３】第１実施形態の発光表示部を一部拡大して示す図であって、（ａ）正面図、（ｂ）断面図となっている。
【図４】第１実施形態における光源光の進路を矢印にて説明する図である。
【図５】第１実施形態の光規制壁部の拡大断面図である。
【図６】第２実施形態の表示装置を示す正面図である。
【図７】図６のVII−VII線断面図である。
【図８】第２実施形態の発光表示部の図柄において複合反射素子が配列された領域を拡大した平面図である。
【図９】図８のIX−IX線断面図である。
【図１０】図９のX−X線断面図である。
【図１１】変形例２における図５に対応する図である。
【発明を実施するための形態】
【００１０】
以下、複数の実施形態を図面に基づいて説明する。なお、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１１】
（第１実施形態）
図１に示すように、本開示の第１実施形態による表示装置１００は、車両に用いられる車両用表示装置であって、当該装置１００を視認する視認者としての乗員が着座する座席とは対向するインストルメントパネルに設置されている。表示装置１００は、乗員が位置することとなる視認側へ向けて車両の情報を表示可能となっている。
【００１２】
なお、本実施形態において、上下、前後、左右が示す方向は、水平面上の車両を基準として記載される。
【００１３】
このような表示装置１００は、図２にも示すように、ケース部１０、本体部２０、導光板３０、及び導光板用光源部５０ａ，５０ｂ等により構成されている。
【００１４】
ケース部１０は、背面側ケース１１、視認側ケース１２、見返し部材１３、及びフロント板１４を有している。背面側ケース１１は、例えば合成樹脂により遮光性に形成されており、メイン回路基板２１を視認側とは反対側の背面側から覆っている。
【００１５】
背面側ケース１１よりも視認側に配置された視認側ケース１２は、例えば合成樹脂により遮光性に形成されており、本体部２０を装置１００の外周側から包囲する変形筒状の外枠部１２ａを形成していると共に、ケース内部空間を仕切る仕切り部１２ｂを形成している。なお、ここでいう装置１００の外周側とは、視認側から表示装置１００を見た場合の装置中心部から放射状に装置側方部の各位置へ向かう方向及びその逆の方向を、径方向と定義した場合に、径方向外側を示す。また、装置１００の内周側とは、径方向内側を示す。
【００１６】
見返し部材１３は、例えば合成樹脂により遮光性に形成されており、視認側ケース１２よりも視認側に配置されている。見返し部材１３は、視認側及び背面側に開口部を有し、装置１００の外周に沿った変形筒状に形成されている。
【００１７】
フロント板１４は、例えば着色されたアクリル樹脂又はポリカーボネイト樹脂等の半透光性樹脂により、見返し部材１３の視認側開口部の全面を塞ぐ曲面板状に形成されている。これにより、本体部２０の露出部分及び導光板３０は、フロント板１４を通して乗員に視認されることとなる。本実施形態のフロント板１４は、スモーク調の着色により、光の透過率が３０％程度に設定されているが、３０％以上の任意の値に設定されていてもよい。
【００１８】
本体部２０は、上述のメイン回路基板２１の他、背景表示板２２、指針部２３ａ，２３ｂ、及び画像表示部２７を有している、背景表示板２２は、一般的に文字板とも呼ばれており、視認側ケース１２において視認側に開口する開口部を塞ぐように配置されている。背景表示板２２は、例えば透光性を有する合成樹脂からなる基材の表面に、半透光性又は遮光性の印刷が部分的又は全体的に施されて、平板状に形成されている。なお、印刷に代えて、塗装が施されていてもよい。
【００１９】
背景表示板２２における遮光性の印刷等による遮光領域は、後述する導光板３０の発光表示部３４ａ，３４ｂによる表示が引き立つように、当該発光表示部３４ａ，３４ｂと対向し、かつ重畳する箇所において、暗色、特に黒色に設定されている。また、背景表示板２２よりも背面側に配置された発光素子（図示しない）が背景表示板２２の透光領域又は半透光領域を照明することで、背景表示板２２では、インジケータランプ２２ａを点灯することが可能となっている。
【００２０】
指針部２３ａ，２３ｂは、背景表示板２２における右側の領域及び左側の領域にそれぞれ配置されることで、複数（例えば２つ）設けられている。ここで、２つの指針部２３ａ，２３ｂは、互いに同様の構成となっているため、左側の指針部２３ａについて代表して説明する。
【００２１】
指針部２３ａは、ステッピングモータ２４及び指針２５を有している。ステッピングモータ２４は、背面側ケース１１と視認側ケース１２との間に挟まれたメイン回路基板２１に保持されている。
【００２２】
指針２５は、連結部２５ａ及び指示部２５ｂを一体的に有する機械部品となっている。連結部２５ａは、背景表示板２２に開けられた貫通穴を通して配置されており、ステッピングモータ２４の回転軸と連結されている。指示部２５ｂは、背景表示板２２と導光板３０との間に、すなわち背景表示板２２よりも視認側かつ導光板３０よりも背面側に配置されており、針状を呈している。指針２５は、ステッピングモータ２４の出力に応じて回転軸を回転中心として回動するようになっており、後述する導光板３０の発光表示部３４ａ，３４ｂによって表示された指標を指示することで、車両の情報が表示されるようになっている。
【００２３】
こうして各指針部２３ａ，２３ｂは、個別に対応する発光表示部３４ａ，３４ｂと重畳して配置され、発光表示部３４ａ，３４ｂと組み合わされた表示を行なう組み合わせ表示部として、機能する。
【００２４】
また、指針２５は、背景表示板２２よりも背面側に配置された発光素子２６から照明されることで発光するようになっている。
【００２５】
画像表示部２７は、メイン回路基板２１よりも視認側において、２つの指針部２３ａ，２３ｂに左右に挟まれるように配置されている。本実施形態の画像表示部２７には、薄膜トランジスタ（Thin Film Transistor、ＴＦＴ）を用いたいわゆるＴＦＴ方式の液晶表示器が採用されている。画像表示部２７は、導光板３０を透過するような光を表示画面２７ａから発光することにより、視認側へ実像の画像を表示可能となっている。
【００２６】
より詳細に、背景表示板２２において画像表示部２７の表示画面２７ａと対向する領域は、透光領域又は半透光領域、若しくは物理的に開口する開口部に設定されていることにより、表示画面２７ａに表示される画像を、フロント板１４及び導光板３０を通して乗員から視認可能としている。
【００２７】
画像表示部２７は、画像により所定の表示内容を表示する。所定の表示内容としては、例えば燃料残量、エンジン冷却水の水温、走行距離、ギヤのシフトレンジ等の車両の状態、又は道路情報、障害物等の警告表示、視界補助情報、電子メール等の情報が挙げられる。なお、画像表示部２７としては、液晶表示器以外の有機ＥＬ表示器等を採用することもできる。
【００２８】
導光板３０は、例えばアクリル樹脂ないしはポリカーボネイト樹脂等の透光性を有する合成樹脂により、上下左右に延伸する板面３１ａ，３１ｂを視認側及び背面側に一対有する平板状に形成されている。導光板３０は、本体部２０よりも視認側に配置され、背景表示板２２とは実質平行に設けられている。両側の板面３１ａ，３１ｂのうちおもて板面３１ａは、視認側を向く平面状に形成されている。うら板面３１ｂは、背面側を向くことで、背景表示板２２と対向する平面状に形成されている。導光板３０は、左右方向を長手方向とする略矩形状の外周輪郭により、外縁部３３を形成している。
【００２９】
導光板用光源部（以下、単に光源部と記載する）５０ａ，５０ｂは、外縁部３３に対向するように配置されている。特に本実施形態の光源部５０ａ，５０ｂは、外縁部３３のうち左側の１辺を構成する平面状の端面３３ａ及び右側の１辺を構成する平面状の端面３３ｂに個別に対応して、複数箇所（例えば２箇所）に設けられている。ここで、２つの光源部５０ａ，５０ｂは、左右が反対となっていることを除けば、互いに同様の構成となっているので、左側の光源部５０ａについて代表して説明する。
【００３０】
光源部５０ａは、外縁部３３の延伸方向に沿って、当該外縁部３３とは所定の間隔を空けて配置された光源用回路基板５１上に、互いに所定のピッチで並べられた複数（例えば５個）の発光素子５２を有している。各発光素子５２には、点光源状の発光ダイオードが採用されており、各発光素子５２は、電源と接続されることで光源光を発する。特に本実施形態では、各発光素子５２がマルチカラーの発光ダイオードとなっているが、同じ光源部５０ａに属する発光素子５２は、互いに実質同一の色及び実質同一の輝度で発光するようになっている。
【００３１】
光源部５０ａは、視認側ケース１２と見返し部材１３との間に形成され、閉じられた収容空間１６に収容されている。これにより、光源光の装置外部への漏光が抑制されている。また、光源部５０ａと導光板３０の外縁部３３との間には、筒状の包囲部材５３が遮光性を有して設けられており（図３も参照）、当該包囲部材５３が光源部５０ａから発せられた光源光が導光板３０の板内部３２以外へ漏光することを抑制している。
【００３２】
このようにして、各発光素子５２からの光源光は、当該各発光素子５２から外縁部３３へ向かう左右方向に沿った入射方向ＩＤにより、各発光素子５２と対向する外縁部３３へと入射する。すなわち、外縁部３３は、光源部５０ａから発せられた光源光を導光板３０の板内部３２へと入射させる入射部として機能する。
【００３３】
導光板３０は、板内部３２に導入された光源光を利用して表示を行なう。図３に示すように、本実施形態の導光板３０には、うら板面３１ｂからおもて板面３１ａ側へ向かって導光板３０の板厚方向ＴＤに凹むように形成された凹状穴３５が複数設けられて、それぞれの発光表示部３４ａ，３４ｂが構成されている。特に本実施形態では、左右の一対の指針部２３ａ，２３ｂに重畳するように、導光板３０の右側の領域及び左側の領域にそれぞれ、発光表示部３４ａ，３４ｂが形成されている。すなわち、左側の光源部５０ａは、左側の発光表示部３４ａに対応し、右側の光源部５０ｂは、右側の発光表示部３４ｂに対応している。
【００３４】
各発光表示部３４ａ，３４ｂにおいて、複数の凹状穴３５は、図３に示すように、指針部２３ａ，２３ｂとの組み合わせ表示の態様に合わせて適宜配置されている。各凹状穴３５の凹み深さ（板厚方向ＴＤに沿った寸法）は、例えば導光板３０の板厚の１／３〜１／２程度に設定されている。なお、本実施形態では、板厚が例えば３ｍｍ程度に設定されている。各凹状穴３５は、乗員が１つ１つの形状を巨視的に確認可能なサイズに形成されている。
【００３５】
各凹状穴３５は、その輪郭が情報を表示するように形成された側壁面３６、及び側壁面３６に外周を囲まれるように当該側壁面３６と接続された底面３７を有している。
【００３６】
側壁面３６は、外縁部３３を介して板内部３２に導入された光源光を受光することにより、当該側壁面３６が照明されて、光って表示されるようになっている。底面３７は、凹状穴３５が属する発光表示部３４ａに対応する光源部５０ａ側を向くように、当該光源部５０ａから離間する程うら板面３１ｂとも離間する傾斜面状に形成されている。また、拡大図示しないが、底面３７は、凹状穴３５が属する発光表示部３４ｂに対応する光源部５０ｂ側を向くように、当該光源部５０ｂから離間する程うら板面３１ｂとも離間する傾斜面状に形成されている。これにより、底面３７も、光源光を受光することにより、当該底面３７が照明されて、光って表示されるようになっている。
【００３７】
なお、本実施形態では、側壁面３６が鏡面状に形成される一方、底面３７は例えばシボ加工等により粗面状に形成され、受光した光源光を視認側へ拡散するようになっている。
【００３８】
図１に示すように、本実施形態の各発光表示部３４ａ，３４ｂには、凹状穴３５として、側壁面３６による輪郭が目盛の形態をなす目盛凹状穴３５ａ、及び側壁面３６による輪郭が文字の形態をなす文字凹状穴３５ｂがそれぞれ複数ずつ設けられている。こうした目盛凹状穴３５ａ及び文字凹状穴３５ｂを主体として指針２５によって指示される指標が構成されている。
【００３９】
複数の目盛凹状穴３５ａは、指針２５が回動する回転中心に対して同心円状に、かつ、部分円環状に配列されている。各目盛凹状穴３５ａは、回転中心に対する放射方向に伸びる略矩形状の輪郭をなしている。複数の目盛凹状穴３５ａは、さらに主目盛凹状穴と、主目盛凹状穴よりも小さなサイズの副目盛凹状穴とに分かれており、主目盛凹状穴と副目盛凹状穴とは交互に配列されている。
【００４０】
複数の文字凹状穴３５ｂは、回転中心を基準として主目盛凹状穴よりも内周側に配置され、文字として、主目盛凹状穴に対応する数字を、輪郭により形成している。こうした各凹状穴３５によって、左側の発光表示部３４ａでは、指針部２３ａと連携して車両の速度を表示することが可能となっており、右側の発光表示部３４ｂでは、指針部２３ｂと連携して車両のエンジン回転数を表示することが可能となっている。こうして各発光表示部３４ａ，３４ｂは、情報としての車両の状態を発光表示する。
【００４１】
そして、一対の発光表示部３４ａ，３４ｂに挟まれた導光板３０の中央の領域には、画像表示部２７と重畳する重畳部４０が設けられている。重畳部４０は、画像表示部２７よりも視認側に配置され、透光性を有する導光板３０の基材が単純な平板状に形成されている部位であって、表示部等が設けられていない。これにより、画像表示部２７の表示画面２７ａの表示が導光板３０に阻害されることが抑制されていると共に、導光板３０が装置１００の内部全域に亘って一枚板として配置されることで、当該装置１００の一体感が醸成されている。
【００４２】
このように、画像表示部２７は、乗員が視認側から見て各発光表示部３４ａ，３４ｂと左右に並ぶように、当該各発光表示部３４ａ，３４ｂとは導光板３０の延伸方向にずれた位置に配置されている。すなわち、画像表示部２７は、各発光表示部３４ａ，３４ｂとは重畳せずに、並ぶように配置された並存表示部として機能している。
【００４３】
導光板３０には、図１，２に示すように、発光表示部３４ａ，３４ｂに対する左右に一対形成された発光表示部３４ａと光源部５０ａとの組及び発光表示部３４ｂと光源部５０ｂとの組に個別に対応して、一対の光規制壁部４２ａ，４２ｂが設けられている。本実施形態において、光規制壁部４２ａは、発光表示部３４ａと重畳部４０との間を仕切るように、発光表示部３４ａと重畳部４０との間に配置されている。光規制壁部４２ｂは、発光表示部３４ｂと重畳部４０との間を仕切るように、発光表示部３４ｂと重畳部４０との間に形成されている。図４に示すように、各光規制壁部４２ａ，４２ｂは、光源部５０ａ，５０ｂから発光表示部３４ａ，３４ｂを通過して板内部３２を画像表示部２７側へ向かう光源光を規制する。
【００４４】
具体的に、各光規制壁部４２ａ，４２ｂは、例えば合成樹脂により遮光性を有する壁状に形成されている。特に本実施形態では、各光規制壁部４２ａ，４２ｂは、例えば合成樹脂によって光吸収性を有する暗色（例えば不透光性の黒色）に形成されることで、発光表示部３４ａ，３４ｂから画像表示部２７側へ向かう光源光を遮光する遮光性を備えた遮光壁となっている。
【００４５】
各光規制壁部４２ａ，４２ｂは、例えば二色成形によって製造されることで、導光板３０に部分的に埋設された状態で当該導光板３０と一体的に形成されている。図５に示すように、各光規制壁部４２ａ，４２ｂは、うら板面３１ｂとおもて板面３１ａとの間を貫通する壁貫通部４３を有していることで、導光板３０にて各光規制壁部４２ａ，４２ｂが設けられた部位では、導光板３０の板厚方向ＴＤに亘って光源光の経路が全面的に塞がれている。
【００４６】
さらに本実施形態の各光規制壁部４２ａ，４２ｂは、壁貫通部４３と連続して形成され、板厚方向ＴＤに沿っておもて板面３１ａよりも視認側に突出している壁突出部４４を有している。各光規制壁部４２ａ，４２ｂは、壁突出部４４において先端に位置する壁先端部４４ａを、上下方向に延伸し、かつ、各発光表示部３４ａ，３４ｂと画像表示部２７との並び方向（本実施形態では左右方向）に湾曲する半円筒面状に形成している。
【００４７】
各光規制壁部４２ａ，４２ｂは、図１に示すように、導光板３０に沿って、上下方向に延伸している。各光規制壁部４２ａ，４２ｂは、両側の延伸端部４６が画像表示部２７の表示画面２７ａの上端及び下端をそれぞれ超えるように、延伸している。各光規制壁部４２ａ，４２ｂの両側の延伸端部４６は、導光板３０の外縁部３３のうち上側の１辺を構成する端面３３ｃ及び下側の１辺を構成する端面３３ｄの近くまで達しているものの、これら端面３３ｃ，３３ｄまでの到達を避けるように途切れている。
【００４８】
また、各光規制壁部４２ａ，４２ｂは、それぞれ隣接する発光表示部３４ａ，３４ｂにおいて部分円環状に配置された目盛凹状穴３５ａの配列に沿うように、湾曲している。特に本実施形態では、各光規制壁部４２ａ，４２ｂの発光表示部３４ａ，３４ｂ側の縁部４５ａ及び重畳部側の縁部４５ｂは、共に、目盛凹状穴３５ａの配列に沿うように湾曲した湾曲縁部となっている。
【００４９】
この湾曲縁部４５ａ，４５ｂの曲率半径は、目盛凹状穴３５ａの配列における最外周部の曲率半径よりも大きく設定されている。こうした曲率半径の差異により、各光規制壁部４２ａ，４２ｂは、その中心部にて目盛凹状穴３５ａの配列に対して最も近接し、上方又は下方へ向かう程、目盛凹状穴３５ａの配列に対して離間している。
【００５０】
さて、光源部５０ａ，５０ｂの各発光素子５２からの光源光は、発光ダイオードの構成に起因した所定の指向性を有しているので、各発光素子５２からの距離が短い範囲では、導光板３０の基材を構成する粒子による光源光の拡散（散乱）の影響は小さいが、距離を経るに従って、拡散の影響が徐々に大きくなるため、仮に導光板３０に光規制壁部４２ａ，４２ｂが設けられていないとすれば、導光板３０の重畳部４０全体に靄がかかったように視認され得る。この現象を本実施形態では白化現象と称する。
【００５１】
本装置１００において、各発光素子５２からの距離が重畳部４０よりも近い各発光表示部３４ａ，３４ｂでは、導光板３０が比較的透き通って見えるため、コントラストの高い発光表示が実現されている。一方、各発光素子５２からの距離が各発光表示部３４ａ，３４ｂよりも遠い重畳部４０でも、光規制壁部４２ａ，４２ｂによって、光源光の到達そのものが規制されているので、光源光の拡散の影響は少なく、導光板３０が透き通って見えるため、また、拡散光が画像表示部２７の表示画面２７ａを照らすことが抑制されているため、画像表示部２７による表示内容の視認性が良好である。
【００５２】
また、導光板３０の重畳部４０では、板内部３２に光源光が殆ど導入されていないので、重畳部４０におけるおもて板面３１ａないしはうら板面３１ｂに、埃等の異物が付着しても、当該異物が光源光によって照らされることも抑制されている。したがって、画像表示部２７の表示内容の視認性を良好に保つことができる。
【００５３】
（作用効果）
以上説明した第１実施形態の作用効果を以下に改めて説明する。
【００５４】
第１実施形態によると、並存表示部としての画像表示部２７を、発光表示部３４ａ，３４ｂと並ぶように、発光表示部３４ａ，３４ｂとは導光板３０の延伸方向にずれた位置に配置した。発光表示部３４ａ，３４ｂに対して重畳を避けた画像表示部２７が設けられた配置によって、画像表示部２７の表示自体が阻害されることを抑制しつつ、板内部３２で発生する拡散光を規制するための光規制壁部４２ａ，４２ｂの設置を可能とした。そして本形態では、光規制壁部４２ａ，４２ｂが発光表示部３４ａ，３４ｂから画像表示部２７側へ向かう光源光を規制する。故に、光源光の拡散光が画像表示部２７を照らすことは抑制されるので、画像表示部２７では、導光板３０の板内部３２での光源光の拡散、すなわち白化現象の影響を抑制した、視認性の高い表示が実現されるのである。以上により、見栄えの良い発光表示部３４ａ，３４ｂに、拡散光の影響を抑制した画像表示部２７を並存させて、格別な見栄え効果が得られる表示装置１００を提供することができるのである。
【００５５】
また、第１実施形態によると、光規制壁部４２ａ，４２ｂは、導光板３０に埋設された状態で導光板３０と一体的に形成されている。このようにすると、光規制壁部４２ａ，４２ｂが導光板３０に埋設されているため、板内部３２を進む光源光を効率よく規制することができる。
【００５６】
また、第１実施形態によると、光規制壁部４２ａ，４２ｂは、発光表示部３４ａ，３４ｂと重畳部４０との間を仕切るように配置されている。発光表示部３４ａ，３４ｂと重畳部４０とを１つの導光板３０に形成することにより、重畳部４０と重畳する画像表示部２７の発光表示部３４ａ，３４ｂに対する一体感が醸成されつつも、発光表示部３４ａ，３４ｂと重畳部４０との間が仕切られて発光表示部３４ａ，３４ｂと画像表示部２７との区別が付き易くなる。故に、見栄え効果を高めつつ、表示を視認し易くすることができる。
【００５７】
また、第１実施形態によると、光規制壁部４２ａ，４２ｂは、導光板３０のおもて板面３１ａよりも視認側に突出している。突出した光規制壁部４２ａ，４２ｂにより、導光板３０に立体的なアクセントが生まれ、表示装置１００全体の立体感が高まる。
【００５８】
また、第１実施形態によると、光規制壁部４２ａ，４２ｂは、発光表示部３４ａ，３４ｂの目盛凹状穴３５ａに沿うように湾曲した湾曲縁部４５ａ，４５ｂを有する。このようにすると、光規制壁部４２ａ，４２ｂが表示装置１００の加飾リングのように機能するため、加飾性が格段に高まる。
【００５９】
また、第１実施形態によると、発光表示部３４ａ，３４ｂは、輪郭が情報を表示するように形成された側壁面３６が設けられ、板内部３２に導入された光源光により側壁面３６が照明されて光る凹状穴３５を有する。このような凹状穴３５の発光表示により、表示装置１００の立体感が高まり、格別な見栄えを実現することができる。
【００６０】
また、第１実施形態によると、光源部５０ａ，５０ｂは、画像表示部２７とは発光表示部３４ａ，３４ｂを挟んで反対側に、一対設けられている。各発光表示部３４ａ，３４ｂを、画像表示部２７よりも光源部５０ａ，５０ｂに近い配置とすることで、光源部５０ａ，５０ｂからの距離に伴って影響が大となる白化現象の影響が、各発光表示部３４ａ，３４ｂでは抑制されて、各発光表示部３４ａ，３４ｂでの見栄えを向上することができる。一方、各光源部５０ａ，５０ｂからの距離が遠くなる画像表示部２７では、各発光表示部３４ａ，３４ｂ及び各光源部５０ａ，５０ｂに対応して一対設けられた光規制壁部４２ａ，４２ｂが光源光を規制することで白化現象が抑制される。一対の発光表示部３４ａ，３４ｂに挟まれるように配置された画像表示部２７の視認性を良好なものとすることで、対称性のある見栄えが良好な表示装置１００を提供することができる。
【００６１】
また、第１実施形態によると、発光表示部３４ａ，３４ｂよりも背面側に、発光表示部３４ａ，３４ｂと重畳して配置され、発光表示部３４ａ，３４ｂと組み合わされた表示を行なう組み合わせ表示部としての指針部２３ａ，２３ｂが備わっている。発光表示部３４ａ，３４ｂと指針部２３ａ，２３ｂとが前後して立体感かつ一体感のある組み合わせ表示が実施されることにより、表示装置１００の見栄えはさらに良好となる。
【００６２】
また、第１実施形態によると、光規制壁部４２ａ，４２ｂは、光吸収性を有することにより、光源光を遮光する遮光壁である。こうした遮光壁が発光表示部３４ａ，３４ｂから画像表示部２７側へ向かう光源光を遮光するので、画像表示部２７における白化現象の影響はさらに低減される。
【００６３】
また、第１実施形態によると、並存表示部は、画像を表示する画像表示部２７を含んで構成されている。これによれば、光規制壁部４２ａ，４２ｂによる白化現象の影響抑制によって画像表示部２７による黒の表現を劣化させずに、乗員にダイレクトに伝えることができるので、表示装置１００の見栄えはさらに良好となる。
【００６４】
（第２実施形態）
図６〜１０に示すように、第２実施形態は第１実施形態の変形例である。第２実施形態について、第１実施形態とは異なる点を中心に説明する。
【００６５】
第２実施形態の表示装置２００の本体部２２０には、指針部２３ａ，２３ｂが設けられておらず、図６，７に示すように、その代わりに大型の画像表示部２２７が設けられている。画像表示部２２７は、表示画面２７ａの左側の領域及び右側の領域を、各発光表示部２３４ａ，２３４ｂとそれぞれ重畳する重畳表示領域２２８ａ，２２８ｂとし、中央の領域を、各発光表示部２３４ａ，２３４ｂとは導光板２３０の延伸方向にずれたずれ表示領域２２９としている。すなわち、第２実施形態では、ずれ表示領域２２９が並存表示部として機能する。
【００６６】
ずれ表示領域２２９では、第１実施形態の画像表示部２２７と同様に、所定の表示内容を表示する。すなわち、所定の表示内容としては、例えば燃料残量、エンジン冷却水の水温、走行距離、ギヤのシフトレンジ等の車両の状態、又は道路情報、障害物等の警告表示、視界補助情報、電子メール等の情報が挙げられる。ずれ表示領域２２９を挟む一対の重畳表示領域２２８ａ，２２８ｂでは、第１実施形態の機械部品としての指針２５の代わりに、画像の指針ＩＰａ，ＩＰｂが表示される。
【００６７】
第２実施形態の発光表示部２３４ａ，２３４ｂは、第１実施形態とは異なり、乗員が１つ１つの形状を巨視的に把握困難なサイズに形成された複数の反射素子２３５（図８〜１０参照）によって構成されている。各反射素子２３５は、うら板面３１ｂからおもて板面３１ａ側へ向かって凹むように形成され、各反射素子２３５は、凹み深さが５〜２０μｍ程度の微細なサイズに形成されている。
【００６８】
複数の反射素子２３５がうら板面３１ｂに沿って２次元的に並んで適宜配置されることにより、導光板２３０の各発光表示部２３４ａ，２３４ｂには、図柄ＰＴＮが形成されている。各反射素子２３５が板内部３２に導入された光源光を視認側に反射することにより、図柄ＰＴＮが微細な反射素子２３５の集合に基づいて面状に発光して、重畳表示領域２２８ａ，２２８ｂの画像の指針ＩＰａ，ＩＰｂよりも視認側に表示されるようになっている。
【００６９】
本実施形態の図柄ＰＴＮは、目盛図柄ＰＴＮａ及び文字図柄ＰＴＮｂとなっており、左側の発光表示部２３４ａでは、画像の指針ＩＰａ，ＩＰｂと連携して車両のエンジン回転数を表示することが可能となっている。右側の発光表示部２３４ａ，２３４ｂでは、画像の指針ＩＰａ，ＩＰｂと連携して車両の速度を表示することが可能となっている。
【００７０】
本実施形態の複数の反射素子２３５には、図８〜１０に示す複合反射素子２３６が含まれている。特に本実施形態では、各発光表示部２３４ａ，２３４ｂを構成する全ての反射素子２３５が、複合反射素子２３６となっている。
【００７１】
各複合反射素子２３６は、うら板面３１ｂからおもて板面３１ａ側へ三角錘状に凹んで形成されている。各複合反射素子２３６は、うら板面３１ｂに垂直な導光板２３０の板厚方向ＴＤに沿ってみた平面図上では、二等辺三角形状をなしている。各複合反射素子２３６は、２つの傾斜面２３７ａで構成された複合反射面２３７、及び素子裏面２３８を有している。
【００７２】
２つの傾斜面２３７ａは、平面図上の二等辺三角形状において等辺に対応する位置にそれぞれ配置されている。２つの傾斜面２３７ａは、三角錘状の複合反射素子２３６による各面のうち、対応する光源光側を向く２面として、外周輪郭が三角形の平面状にそれぞれ形成されている。各傾斜面２３７ａは、うら板面３１ｂ側からおもて板面３１ａ側へ向かう程、これに対応している光源部５０ａ又は５０ｂに対してより離間するように傾斜している。素子裏面２３８は、平面図上の二等辺三角形状において底辺に対応する位置に配置され、対応する光源部５０ａ又は５０ｂとは反対方向を向いて、すなわち光規制壁部２４２ａ，２４２ｂ側を向いて形成されている。
【００７３】
このような微細なサイズの反射素子２３５を用いた発光表示部２３４ａ，２３４ｂでは、光源部５０ａ，５０ｂを消灯すると、図柄ＰＴＮが乗員から殆ど認識できなくなってしまうので、
第２実施形態の各光規制壁部２４２ａ，２４２ｂは、導光板２３０に沿って、上下方向に直線状に延伸している。すなわち、各光規制壁部２４２ａ，２４２ｂにおいて、これに対応している発光表示部２３４ａ又は２３４ｂ側の縁部２４５ａ及び重畳部４０側の縁部２４５ｂは、共に、直線状に形成されている。
【００７４】
以上説明した第２実施形態によると、発光表示部２３４ａ，２３４ｂは、板内部３２に導入された光源光を反射する反射素子２３５を複数有し、反射素子２３５の集合により形成された図柄ＰＴＮを面状発光する。このような図柄ＰＴＮの面状発光により、表示装置１００の立体感が高まり、格別な見栄えを実現することができる。
【００７５】
（他の実施形態）
以上、複数の実施形態について説明したが、本開示は、それらの実施形態に限定して解釈されるものではなく、本開示の要旨を逸脱しない範囲内において種々の実施形態及び組み合わせに適用することができる。
【００７６】
具体的に変形例１としては、光規制壁部４２ａ，４２ｂは、光源光が発光表示部３４ａ，３４ｂから並存表示部側へ向かうことを規制するものであればよく、例えば光規制壁部４２ａ，４２ｂがスモーク調に着色された半透過性を有する部材であっても、光源光の規制効果を発揮することができる。
【００７７】
変形例２としては、光規制壁部４２ａ，４２ｂは、おもて板面３１ａよりも視認側に突出していなくてもよく、例えば図１１に示すように、導光板３０の板厚のうち一部分を塞ぐものであってもよい。
【００７８】
変形例３としては、導光板３０に重畳部４０が形成されず、導光板３０のうち並存表示部と重畳している部分が開口するように開口部を形成していてもよい。光規制壁部４２ａ，４２ｂは、導光板３０に埋設されずに、この開口部を縁取るように配置されていてもよい。
【００７９】
変形例４としては、発光表示部３４ａ，３４ｂと光源部５０ａ，５０ｂとは、一対ずつ設けられていなくてもよく、並存表示部と発光表示部とが一つずつ設けられていてもよい。並存表示部、発光表示部、光源部の配置数は、表示形態に合わせて任意に設定することができる。
【００８０】
変形例５としては、発光表示部３４ａ，３４ｂと組み合わされた表示を行なう組み合わせ表示部が設けられていなくてもよい。
【００８１】
第１実施形態に関する変形例６としては、凹状穴３５の側壁面３６及び底面３７の面粗さは、任意に設定することができる。また、底面３７は、うら板面３１ｂ又はおもて板面３１ａに実質平行に形成されていてもよい。
【００８２】
変形例７としては、並存表示部としては、画像表示部２７以外にも、機械的な指針を用いた表示部、又はインジケータランプを用いた表示部等を、採用することができる。
【００８３】
変形例８としては、光源部５０ａ，５０ｂは、点光源状の発光ダイオードに限られず、例えば線光源状の蛍光灯等、種々の発光素子を採用することができる。
【００８４】
変形例９としては、光規制壁部４２ａ，４２ｂの上下端部近傍の湾曲縁部４５ａを速度計、回転計の目盛の最外縁に沿うように深く傾斜させて、光規制壁部４２ａ，４２ｂをこれら速度計、回転計の一部外周を加飾するような造形としてもよい。
【００８５】
変形例９としては、表示装置１００は、車両に用いられるものに限られず、例えば航空機、船舶等の移動体に用いられる表示装置、冷蔵庫等の家電製品、スマートフォン等の情報通信機器、ゲーム、パチンコ等の遊技機、街頭広告等に用いられる表示装置であってもよい。発光表示部及び並存表示部が表示する各表示内容も、表示装置の目的に合わせて任意に設定することができる。
【符号の説明】
【００８６】
１００  表示装置、２７  画像表示部（並存表示部）、３０，２３０  導光板、３２  板内部、３４ａ，３４ｂ，２３４ａ，２３４ｂ  発光表示部、４２ａ，４２ｂ，２４２ａ，２４２ｂ  光規制壁部、２２９  ずれ表示領域（並存表示部）
【図１】
2020008671.tif 000003
【図２】
2020008671.tif 000004
【図３】
2020008671.tif 000005
【図４】
2020008671.tif 000006
【図５】
2020008671.tif 000007
【図６】
2020008671.tif 000008
【図７】
2020008671.tif 000009
【図８】
2020008671.tif 000010
【図９】
2020008671.tif 000011
【図１０】
2020008671.tif 000012
【図１１】
2020008671.tif 000013